(57)【要約】【課題】無線制御ユニットを内蔵しつつ、小型化を実現すること。【解決手段】実施形態に係る照明装置は、光源と、電源装置と、金属で構成される長手状の筐体と、無線制御ユニットと、端部カバーと、を具備する。電源装置は、交流電流から供給される電力を変換して光源に供給する。無線制御ユニットは、外部からの無線信号を受信し、無線信号に基づいて電源装置に調光信号を送信する。端部カバーは、光源を覆うカバーのうち筐体の長手方向の端部に設けられ、無線制御ユニットの少なくとも一部が収容される。【選択図】図３
2020053345.tif 000002
【特許請求の範囲】
【請求項１】
光源と；
交流電流から供給される電力を変換して前記光源に供給する電源装置と；
金属で構成される長手状の筐体と；
外部からの無線信号を受信し、前記無線信号に基づいて前記電源装置に調光信号を送信する無線制御ユニットと；
前記光源を覆うカバーのうち前記筐体の長手方向の端部に設けられ、前記無線制御ユニットの少なくとも一部が収容される端部カバーと；
を具備する照明装置。
【請求項２】
前記無線制御ユニットは、前記電源装置を制御する制御部と、前記無線信号を受信するアンテナとを具備し、
前記アンテナが前記端部カバーに収容される
請求項１に記載の照明装置。
【請求項３】
前記筐体には、前記電源装置を収容する凹部が形成され、
前記アンテナは、前記凹部の外側に配置される
請求項２に記載の照明装置。
【請求項４】
前記制御部は、少なくとも一部が前記凹部に収容される
請求項３に記載の照明装置。
【請求項５】
前記無線制御ユニットは、前記電源装置からの電力を前記光源に供給する電力供給コネクタを具備する
請求項１〜４のいずれか一つに記載の照明装置。
【請求項６】
光源と；
交流電流から供給される電力を変換して前記光源に供給する電源装置と；
外部からの無線信号を受信し、前記無線信号に基づいて前記電源装置に調光信号を送信する無線制御ユニットと；
前記光源を覆うカバーのうち筐体の長手方向の端部に設けられ、前記無線制御ユニットの少なくとも一部が収容される端部カバーと；
を具備する照明モジュール。
【発明の詳細な説明】
【技術分野】
【０００１】
本発明の実施形態は、照明装置および照明モジュールに関する。
【背景技術】
【０００２】
従来、たとえば、無線通信により端末装置などと通信可能な照明装置が知られている。
【先行技術文献】
【特許文献】
【０００３】
【特許文献１】特開２０１６−７２１２５号公報
【発明の概要】
【発明が解決しようとする課題】
【０００４】
しかしながら、上述した従来技術では、外部からの無線信号を受信し、かかる無線信号に基づいて調光信号を電源装置に送信する無線制御ユニットを内蔵する場合、照明装置を小型化することが困難であった。
【０００５】
本発明が解決しようとする課題は、無線制御ユニットを内蔵しつつ、小型化を実現することができる照明装置および照明モジュールを提供することである。
【課題を解決するための手段】
【０００６】
実施形態に係る照明装置は、光源と、電源装置と、金属で構成される長手状の筐体と、無線制御ユニットと、端部カバーと、を具備する。電源装置は、交流電流から供給される電力を変換して前記光源に供給する。無線制御ユニットは、外部からの無線信号を受信し、前記無線信号に基づいて前記電源装置に調光信号を送信する。端部カバーは、前記光源を覆うカバーのうち前記筐体の長手方向の端部に設けられ、前記無線制御ユニットの少なくとも一部が収容される。
【発明の効果】
【０００７】
本発明によれば、無線制御ユニットを内蔵しつつ、小型化を実現することができる。
【図面の簡単な説明】
【０００８】
【図１】図１は、実施形態に係る照明装置の機能構成の一例を示すブロック図である。
【図２】図２は、実施形態に係る照明装置の一例を示す斜視図である。
【図３】図３は、実施形態に係る照明装置の一例を示す拡大斜視図である。
【図４】図４は、図３に示すＡ−Ａ線の矢視断面図である。
【図５】図５は、図３に示すＢ−Ｂ線の矢視断面図である。
【図６】図６は、実施形態の変形例に係る照明装置の機能構成の一例を示すブロック図である。
【図７】図７は、実施形態の変形例に係る照明装置の一例を示す断面図である。
【発明を実施するための形態】
【０００９】
以下で説明する実施形態に係る照明装置１は、光源１０と、電源装置２０と、金属で構成される長手状の筐体４０と、無線制御ユニット３０と、端部カバー６０と、を具備する。電源装置２０は、交流電流から供給される電力を変換して光源１０に供給する。無線制御ユニット３０は、外部からの無線信号を受信し、無線信号に基づいて電源装置２０に調光信号を送信する。端部カバー６０は、光源１０を覆うカバーのうち筐体４０の長手方向の端部に設けられ、無線制御ユニット３０の少なくとも一部が収容される。
【００１０】
また、以下で説明する実施形態に係る照明装置１において、無線制御ユニット３０は、電源装置２０を制御する制御部３１と、無線信号を受信するアンテナ３２とを具備し、アンテナ３２が端部カバー６０に収容される。
【００１１】
また、以下で説明する実施形態に係る照明装置１において、筐体４０には、電源装置２０を収容する凹部４１が形成され、アンテナ３２は、凹部４１の外側に配置される。
【００１２】
また、以下で説明する実施形態に係る照明装置１において、制御部３１は、少なくとも一部が凹部４１に収容される。
【００１３】
また、以下で説明する実施形態に係る照明装置１において、無線制御ユニット３０は、電源装置２０からの電力を光源１０に供給する電力供給コネクタ３５を具備する。
【００１４】
また、以下で説明する実施形態に係る照明モジュールは、光源１０と、電源装置２０と、無線制御ユニット３０と、端部カバー６０と、を具備する。電源装置２０は、交流電流から供給される電力を変換して光源１０に供給する。無線制御ユニット３０は、外部からの無線信号を受信し、無線信号に基づいて電源装置２０に調光信号を送信する。端部カバー６０は、光源１０を覆うカバーのうち筐体４０の長手方向の端部に設けられ、無線制御ユニット３０の少なくとも一部が収容される。
【００１５】
以下、図面を参照して、実施形態に係る照明装置１および照明モジュールを説明する。実施形態において同一の部位には同一の符号を付し、重複する説明は省略される。
【００１６】
［実施形態］
最初に、実施形態に係る照明装置１の機能構成について、図１を参照しながら説明する。図１は、実施形態に係る照明装置１の機能構成の一例を示すブロック図である。図１に示すように、照明装置１は、交流電源２に接続され、かかる交流電源２から供給される電力を用いて周囲を照明する。交流電源２は、たとえば、商用電源などである。
【００１７】
図１に示すように、照明装置１は、光源１０と、電源装置２０と、無線制御ユニット３０とを具備する。光源１０は、一種の負荷であり、たとえば、ＬＥＤ（Light  Emitting  Diode）素子や有機ＥＬ（Electro-Luminescence）素子などで構成される。
【００１８】
電源装置２０は、交流電源２から供給される電力を所定の電力に変換して、変換された電力を光源１０に供給する。電源装置２０は、たとえば、交流電源２から供給される交流電力を所定の直流電力に変換して、かかる直流電力を光源１０に供給する。
【００１９】
無線制御ユニット３０は、外部からの無線信号を受信し、かかる無線信号に基づいて電源装置２０に調光信号を送信する。この調光信号とは、光源１０の調光制御を行うための信号であり、たとえば、ＰＷＭ信号、ＤＡＬＩ（Digital  Addressable  Lighting  Interface）信号、位相制御用の信号などである。
【００２０】
無線制御ユニット３０は、制御部３１と、アンテナ３２と、赤外線センサ３３と、コネクタ３４とを具備する。制御部３１は、電源装置２０を制御する。制御部３１は、たとえば、外部からの無線信号に基づいて調光信号を生成し、かかる調光信号を電源装置２０に送信する。制御部３１は、たとえば、マイコン（マイクロコントローラまたはマイクロコンピュータ）やプロセッサなどの制御用部品を具備する。
【００２１】
また、制御部３１は、光源１０から電源装置２０に戻る電気配線における電流値および電圧値に基づいて、光源１０の出力を検出する。そして、かかる検出結果に基づいて、制御部３１は、光源１０の出力が所定の出力で一定になるようにフィードバック制御を行う。
【００２２】
アンテナ３２は、外部からの無線信号を受信する。アンテナ３２は、たとえば、外部の端末装置３から送信される無線信号を受信する。この無線信号には、たとえば、光源１０の調光制御を指示する信号が含まれる。
【００２３】
赤外線センサ３３は、外部からの赤外線信号を受信する。赤外線センサ３３は、たとえば、外部の赤外線リモコン４から送信される赤外線信号を受信する。この赤外線信号には、たとえば、光源１０のＯＮ／ＯＦＦを制御する信号が含まれる。
【００２４】
コネクタ３４は、電源装置２０と無線制御ユニット３０との間をつなぐ電気配線や信号配線が接続されるコネクタである。
【００２５】
つづいて、実施形態に係る照明装置１の構成について、図２〜図５を参照しながら説明する。図２は、実施形態に係る照明装置１の一例を示す斜視図であり、図３は、実施形態に係る照明装置１の一例を示す拡大斜視図であり、図４は、図３に示すＡ−Ａ線の矢視断面図である。
【００２６】
なお、理解の容易のため、図２では筐体４０の図示を省略し、図３では光源１０（図５参照）、電源装置２０（図５参照）、シャーシ７０（図５参照）および基板８０（図５参照）の図示を省略している。また、図３では、端部カバー６０近傍における前面カバー５０の図示も省略している。
【００２７】
図２および図３に示すように、照明装置１は、筐体４０と、前面カバー５０と、端部カバー６０、６１とを具備する。そして、かかる筐体４０と、前面カバー５０と、端部カバー６０、６１とで形成される内部空間に、上述の光源１０と、電源装置２０と、無線制御ユニット３０とが収容される。
【００２８】
筐体４０は、金属で構成され、所定の方向に延在する長手状の部材である。また、筐体４０は断面視で略Ｗ字形状を有し、筐体４０の中央部分には凹部４１が形成される。
【００２９】
前面カバー５０は、樹脂で構成され、筐体４０の長手方向に沿って延在する長手状の部材である。また、前面カバー５０は、断面視で略Ｃ字形状を有する。
【００３０】
前面カバー５０は、筐体４０の長手方向に沿って並んで配置される複数の光源１０を前面からすべて覆っている。前面カバー５０は、たとえば、白色樹脂で構成され、覆われた複数の光源１０から照射される光を外部に透過させることができる。
【００３１】
端部カバー６０、６１は、樹脂で構成され、筐体４０の長手方向における両端に配置される。また、端部カバー６０、６１は、前面カバー５０の断面形状に対応する形状を有する。
【００３２】
端部カバー６０、６１は、筐体４０の長手方向における両端に配置される光源１０を側面から覆っている。端部カバー６０、６１は、たとえば、白色樹脂で構成され、覆われた光源１０から照射される光を外部に透過させることができる。
【００３３】
ここで、実施形態では、図３および図４に示すように、無線制御ユニット３０の少なくとも一部が端部カバー６０に収容されており、端部カバー６０と無線制御ユニット３０とが一体化している。
【００３４】
これにより、照明装置１内の空きスペースに無線制御ユニット３０を配置することができる。したがって、実施形態によれば、無線制御ユニット３０を内蔵した照明装置１において、小型化を実現することができる。
【００３５】
また、実施形態では、無線制御ユニット３０と端部カバー６０とを一体化して１つのユニットにすることにより、無線制御ユニット３０と端部カバー６０とを一度に取り付けることができることから、照明装置１の組み立て工程を簡素化することができる。したがって、実施形態によれば、照明装置１の製造コストを低減することができる。
【００３６】
また、実施形態では、図４などに示すように、無線制御ユニット３０のうち、少なくともアンテナ３２および赤外線センサ３３を端部カバー６０に収容するとよい。換言すると、アンテナ３２および赤外線センサ３３を、筐体４０における凹部４１の外側に配置するとよい。
【００３７】
これにより、外部から送信される無線信号や赤外線信号を、金属製の筐体４０で遮断することなくアンテナ３２および赤外線センサ３３で受信することができる。したがって、実施形態によれば、無線信号や赤外線信号の受信感度を向上させることができる。
【００３８】
なお、端部カバー６０や前面カバー５０は樹脂で構成されていることから、外部から送信される無線信号や赤外線信号を問題なく通過させることができる。
【００３９】
また、実施形態では、図４に示すように、無線制御ユニット３０のうち、制御部３１の少なくとも一部を筐体４０の凹部４１に収容するとよい。このように、制御部３１を金属製の筐体４０で囲むことにより、制御部３１で発生するノイズなどが外部に漏れることを抑制することができる。
【００４０】
図５は、図３に示すＢ−Ｂ線の矢視断面図である。図５に示すように、筐体４０の凹部４１には、電源装置２０が収容されている。そして、凹部４１に収容された電源装置２０を、金属製のシャーシ７０で覆っている。このように、電源装置２０を金属製の筐体４０およびシャーシ７０で囲むことにより、電源装置２０で発生するノイズなどが外部に漏れることを抑制することができる。
【００４１】
電源装置２０が配置された側とは反対側のシャーシ７０には、基板８０が配置され、かかる基板８０には光源１０が搭載される。基板８０には、電源装置２０と光源１０との間をつなぐ電気配線などが形成される。そして、基板８０および光源１０を前面カバー５０で覆っている。
【００４２】
ここまで説明した実施形態では、無線制御ユニット３０に赤外線センサ３３が設けられる例について示したが、無線制御ユニット３０には赤外線センサ３３が設けられていなくともよい。
【００４３】
また、上記の実施形態では、無線制御ユニット３０の一部が端部カバー６０に収容された例について示したが、無線制御ユニット３０の全体が端部カバー６０に収容されていてもよい。また、上記の実施形態では、筐体４０が含まれる照明装置１について示したが、筐体４０が含まれない照明モジュールに実施形態を適用してもよい。
【００４４】
［実施形態の効果］
上述してきたように、実施形態に係る照明装置１は、無線制御ユニット３０の少なくとも一部が端部カバー６０に収容されており、端部カバー６０と無線制御ユニット３０とが一体化している。このため、実施形態に係る照明装置１は、無線制御ユニット３０を内蔵しつつ、小型化を実現することができる。
【００４５】
［変形例］
以降においては、実施形態の変形例について、図６および図７を参照しながら説明する。図６は、実施形態の変形例に係る照明装置１の機能構成の一例を示すブロック図であり、図７は、実施形態の変形例に係る照明装置１の一例を示す断面図である。なお、図７は、実施形態の図４に対応する図面である。
【００４６】
図６および図７に示すように、変形例に係る照明装置１は、無線制御ユニット３０に電力供給コネクタ３５が具備されている点が実施形態と異なる。図６に示すように、電力供給コネクタ３５は、電源装置２０からの電力を光源１０に供給するコネクタである。
【００４７】
電力供給コネクタ３５は、たとえば、電源装置２０からの電力をそのまま光源１０に供給するパススルー式のコネクタである。また、図７に示すように、電力供給コネクタ３５は、たとえば、コネクタ３４に隣接して配置される。
【００４８】
このように、変形例では、コネクタ３４に加えて、無線制御ユニット３０に電力供給コネクタ３５を設けている。これにより、コネクタ３４に所定の配線を接続して電源装置２０と無線制御ユニット３０との間をつなぐ作業と、電力供給コネクタ３５に所定の配線を接続して電源装置２０と光源１０との間をつなぐ作業とを、無線制御ユニット３０を視認しながら一度に行うことができる。
【００４９】
したがって、変形例によれば、照明装置１の組み立て工程を簡素化することができることから、照明装置１の製造コストを低減することができる。
【００５０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５１】
１  照明装置
２  交流電源
３  端末装置
４  赤外線リモコン
１０  光源
２０  電源装置
３０  無線制御ユニット
３１  制御部
３２  アンテナ
３３  赤外線センサ
３４  コネクタ
３５  電力供給コネクタ
４０  筐体
４１  凹部
５０  前面カバー
６０、６１  端部カバー
７０  シャーシ
８０  基板
【図１】
2020053345.tif 000003
【図２】
2020053345.tif 000004
【図３】
2020053345.tif 000005
【図４】
2020053345.tif 000006
【図５】
2020053345.tif 000007
【図６】
2020053345.tif 000008
【図７】
2020053345.tif 000009